(57)【特許請求の範囲】
【請求項１】
シャッタ開口を有するシャッタ基板と、
前記シャッタ開口を開閉可能な複数の羽根と、
前記複数の羽根のうちの前記シャッタ開口に対して平行に駆動される少なくともスリット形成羽根を含む羽根を支えるアームと、
前記シャッタ基板の一側に前記羽根または前記アームを支持する複数の軸とを有し、
前記軸は、前記複数の羽根が前記アームにより前記シャッタ開口に対して平行に駆動される平行リンク式及び少なくとも前記スリット形成羽根が前記アームにより前記シャッタ開口に対して平行に駆動され残りの羽根が回転駆動される回転羽根式のいずれの方式にも前記アームまたは前記羽根の支持用として使用される共通軸と、前記平行リンク式及び前記回転羽根式のいずれか一方の方式にのみ使用される専用軸とを含んでいる
ことを特徴とするフォーカルプレーンシャッタ。
【請求項２】
請求項１において、前記専用軸は、前記アームまたは前記羽根の支持用として使用されないときには前記アームを一方向に付勢する付勢部材の受けとなることを特徴とするフォーカルプレーンシャッタ。
【発明の詳細な説明】
【０００１】
【発明の属する技術分野】
本発明はフォーカルプレーンシャッタに関する。
【０００２】
【従来の技術】
従来におけるフォーカルプレーンシャッタには、図３に示すように回転羽根式のものと図４に示すように平行リンク式のものとがある。図３図示の回転羽根式のものでは、シャッタ基板１００に開設してあるシャッタ開口１００ａを開閉可能な複数の羽根２のうち、スリット形成羽根２ａはアーム３ａと３ｂからなる２本のアーム３で支えられ、シャッタ開口１００ａに対して平行に駆動されて、シャッタ開口１００ａの下方に退避する。覆い羽根２ｂ〜２ｆは回転駆動されて、シャッタ開口１００ａの下方に退避する。シャッタ基板１００の一側に複数の軸が設けてあり、アーム３ａと３ｂとは軸４００ａと軸４００ｂに軸支され、覆い羽根２ｂと２ｃとは軸４００ｃに、覆い羽根２ｄは軸４００ｄに、覆い羽根２ｅと２ｆとは軸４００ａに軸支されている。さらに、シャッタ駆動用のピン５をアーム３ｂに設けた嵌合穴５ａに嵌合させると、両者の間には微小な隙間が存在するので、この隙間によるがたつきを防止するために弱いばね６をかけており、このばね６はばね受け４００ｅに掛け止められている。
【０００３】
図４図示の平行リンク式のものでは、全ての羽根２０ａ〜２０ｄはアーム３０ａ〜３０ｃに支えられ、シャッタ開口１００ａに対して平行に駆動されて、シャッタ開口１００ａを開閉する。アーム３０ａは軸４００ｆに、アーム３０ｂは軸４００ｇに、アーム３０ｃは軸４００ｈに軸支されている。またがたつきを防止するためのばね６はばね受け４００ｉに掛け止められている。
【０００４】
このように回転羽根式のものと平行リンク式のものとでは、シャッタ開口を開閉する羽根の数が相違し、この羽根を回転移動または平行移動させることができるように羽根を支持するアームの数が相違している。このために、羽根やアームを軸支するための軸の数や軸を設ける位置が相違している。また、２つの方式のものではばねをかける位置も相違しているので、当然のことながらばね受けの位置も相違している。
【０００５】
【発明が解決しようとする課題】
このように、従来の回転羽根式のシャッタと平行リンク式のシャッタでは、羽根やアームを支持する軸の数や位置、及びばね受けの位置が相違しているので、回転羽根式のシャッタ基板と平行リンク式のシャッタ基板とをそれぞれ別々に形成しなければならず、製造コストが増大するという問題点があった。
そこで本発明は、シャッタ基板の共通化を図り、これによって製造コストを低減しようとするものである。
【０００６】
【課題を解決するための手段】
本発明のフォーカルプレーンシャッタは、シャッタ開口を有するシャッタ基板と、前記シャッタ開口を開閉可能な複数の羽根と、前記複数の羽根のうちの前記シャッタ開口に対して平行に駆動される少なくともスリット形成羽根を含む羽根を支えるアームと、前記シャッタ基板の一側に前記羽根または前記アームを支持する複数の軸とを有している。そして、前記軸は、前記複数の羽根が前記アームにより前記シャッタ開口に対して平行に駆動される平行リンク式及び少なくとも前記スリット形成羽根が前記アームにより前記シャッタ開口に対して平行に駆動され残りの羽根が回転駆動される回転羽根式のいずれの方式にも前記アームまたは前記羽根の支持用として使用される共通軸と、前記平行リンク式及び前記回転羽根式のいずれか一方の方式にのみ使用される専用軸とを含んでいることを特徴としている。この構成によりシャッタ基板の共通化ができるので、部品点数が少なくなり、製造コストが低減する。
【０００７】
また、前記専用軸は、前記アームまたは前記羽根の支持用として使用されないときには前記アームを一方向に付勢する付勢部材の受けとなることを特徴としている。付勢部材の受けとして、使用されない軸を用いることで、シャッタ基板の構成を一層簡単にできる。
【０００８】
【発明の実施の形態】
図１に回転羽根式のフォーカルプレーンシャッタの先幕を示している。後幕については先幕と実質的に同一であるので、図示を省略している。シャッタ基板１にシャッタ開口１ａが開設してあり、このシャッタ開口を開閉可能な複数の羽根２が設けてある。羽根２は、６枚の羽根で構成してあり、羽根２ａはスリット形成羽根で、シャッタ開口１ａに対して平行に駆動されてシャッタ開口１ａの下方に退避するもので、アーム３ａと３ｂからなる２本のアーム３で支えられている。他の５枚の羽根２ｂ〜２ｆは覆い羽根で、回転駆動されてシャッタ開口１ａの下方に退避するものである。
【０００９】
シャッタ基板１の一側（右側辺）には、アーム３及び羽根２を支持する複数の軸４として、５本の軸４ａ〜４ｅが立設してある。アーム３ａと３ｂとは軸４ａと軸４ｂにそれぞれ揺動自在に軸支され、その先端にてスリット形成羽根２ａを支えており、スリット形成羽根２ａを平行に駆動するように支持している。覆い羽根２ｂと２ｃとは軸４ｃに、覆い羽根２ｄは軸４ｄに、覆い羽根２ｅと２ｆとは軸４ａにそれぞれ揺動自在に軸支されている。
【００１０】
覆い羽根２ｂ〜２ｆのそれぞれに形成された扇形の溝穴には、図示しないシャッタ駆動機構中の駆動レバーに立設した駆動ピン５を貫通させてある。駆動ピン５の先端は小判型に形成してあり、アーム３ｂに設けた小判型の嵌合孔５ａに回転不能に嵌合させてある。
【００１１】
駆動ピン５と嵌合孔５ａとの間には、加工上必然的に若干のクリアランスが存在するので、この間のがたつきを防止するために軸４ｂに付勢部材であるばね６を嵌合し、ばね６の一端をアーム３ｂに掛け止め、ばね６の他端を軸４ｅに掛け止めて、軸４ｅを付勢部材の受けとして使用している。
【００１２】
シャッタ基板１には扇形の溝穴１ｂが設けてあり、駆動ピン５はこの溝穴を貫通し、シャッタ駆動機構により往復移動可能である。
このシャッタ基板１は、前記した先幕と実質的に同一構成の後幕を支持するものでもあり、後幕用の複数の羽根やアームを支持するための複数の軸１４も設けてある。即ち、軸４ａ〜軸４ｅに対応する軸として軸１４ａ〜軸１４ｅが設けてあり、軸４ａと軸１４ｄは同一、軸４ｄと軸１４ａは同一である。
また、シャッタ基板１にはシャッタをカメラに固定するためのねじ止め穴７や、裏板を係止する爪８や、羽根が退避した時に羽根のバウンドを防止する機構を構成する部材９等が設けてある。
【００１３】
図２は同じシャッタ基板１を用いた平行リンク式のフォーカルプレーンシャッタの先幕を示している。前記と同様に後幕については先幕と実質的に同一であるので、図示を省略している。シャッタ開口１ａを開閉可能な複数の羽根２０は、４枚の羽根で構成してあり、羽根２０ａはスリット形成羽根であり、他の３枚の覆い羽根２０ｂ〜２０ｄと同様に、シャッタ開口１ａに対して平行に駆動されてシャッタ開口１ａの下方に退避するように構成してある。
【００１４】
これらの羽根２０は、アーム３０ａ〜３０ｃからなる３本のアーム３０により支えられている。シャッタ基板１の一側（右側辺）に設けてある前記の軸４は、アーム３０の揺動中心をなすもので、アーム３０ａは軸４ａに、アーム３０ｂは軸４ｅに、アーム３０ｃは軸４ｂにそれぞれ揺動自在に軸支されている。羽根２０ａ〜２０ｄは、アーム３０ａ〜３０ｃに連結されて平行リンク機構を構成し、全ての羽根をシャッタ開口１ａに対して平行駆動できるように支持している。前記のようにシャッタ駆動機構中の駆動レバーに立設した駆動ピン５の先端は、小判型に形成されてアーム３０ｃに設けた小判型の嵌合孔５ａに回転不能に嵌合させてある。
【００１５】
駆動ピン５と嵌合孔５ａとの間のがたつきを防止する付勢部材であるばね６は、軸４ｂに嵌合し、ばね６の一端をアーム３０ｃに掛け止め、他端を軸４ｃに掛け止めて軸４ｃを受けとして使用している。この場合にも軸１４ａ〜軸１４ｅからなる後幕用の軸１４が前記と同様に設けてあり、その他の構成についても図１で説明したものと実質的に同一であり、同一の符号を付してある。
【００１６】
図１及び図２に示されるように、複数の軸のうち軸４ａ、軸４ｂと軸４ｄは、回転羽根式の場合にも平行リンク式の場合にも軸として用いられる共通軸４ａ，４ｂ，４ｄである。軸４ｄは図２では使用されていないように見えるが、図示しない後幕のアームの軸として使用されている。そして軸４ｃは、回転羽根式の場合には軸として、また平行リンク式の場合には付勢部材６の受けとして使用され、軸４ｅは、回転羽根式の場合には付勢部材６の受けとして、また平行リンク式の場合には軸として使用されるそれぞれ専用軸４ｃ，４ｅとなっている。
このようにシャッタ基板１を構成することにより、回転羽根式のフォーカルプレーンシャッタにも、平行リンク式のフォーカルプレーンシャッタにも、また、先幕用にも後幕用にも、全ての共通部品として使用することができるものとなり、部品点数を大幅に削減できる。
【００１７】
【発明の効果】
このように本発明のフォーカルプレーンシャッタは、同一のシャッタ基板を、回転羽根式及び平行リンク式に共通部品として使用でき、また先幕用及び後幕用に共通部品として使用でき、部品点数を少くできて製造コストの低減に有効である。また専用軸を付勢部材の受けとして使用できるので、シャッタ基板の構成を簡単にできる。
【図面の簡単な説明】
【図１】本発明の実施の一形態を示すもので、回転羽根式の場合の正面図である。
【図２】本発明の実施の他の形態を示すもので、平行リンク式の場合の正面図である。
【図３】従来の回転羽根式の場合の正面図である。
【図４】従来の平行リンク式の場合の正面図である。
【符号の説明】
１              シャッタ基板
１ａ            シャッタ開口
２，２０        羽根
２ａ，２０ａ    スリット形成羽根
３，３０        アーム
４，１４        軸
４ａ，４ｂ      共通軸
１４ａ，１４ｂ  共通軸
４ｃ，１４ｃ    専用軸（平行リンク式の付勢部材の受け）
４ｄ，１４ｄ    共通軸
４ｅ，１４ｅ    専用軸（回転羽根式の付勢部材の受け）
６              付勢部材
【図１】
0004394273.tif 000002
【図２】
0004394273.tif 000003
【図３】
0004394273.tif 000004
【図４】
0004394273.tif 000005